(57)【要約】  コンテンツマテリアルを保護するシステム及び方法は、保護されたコンテンツマテリアルを異なる形態で処理する２つのコンポーネント１００、２００間にセキュアなリンク１３０−２３０を確立することによりコピー保護を実施する。該セキュアなリンク１３０−２３０は、第１のコンポーネントマテリアルにおいてソース１０１から導出されたセキュリティ情報を、変換された形態の該マテリアルから対応するセキュリティ情報を導出する第２のコンポーネント２００に伝達するために利用される。両方のコンポーネントからのセキュリティ情報が一致しない場合、第２のコンポーネント２００は該コンテンツマテリアルの以降のレンダリングを防止する。
2008516331.tif 000002
【特許請求の範囲】
【請求項１】
第１の形態のコンテンツマテリアルのソースにアクセスし、前記コンテンツマテリアルを第２の形態に変換するように構成された第１のコンポーネントと、
前記第２の形態の前記コンテンツマテリアルを受信し、前記コンテンツマテリアルからセキュリティマークを検出するように構成された、前記第１のコンポーネントと動作可能に結合された第２のコンポーネントと、
を有するシステムであって、
前記第１のコンポーネントは更に、前記マークに関連する認証情報を決定し、セキュアなリンクを介して、前記認証情報を前記第２のコンポーネントに伝達するように構成され、
前記第２のコンポーネントは更に、前記マーク及び前記認証情報に基づいて、前記コンテンツマテリアルのレンダリングを制御するように構成されたシステム。
【請求項２】
前記第１のコンポーネントはディスクドライブを含み、
前記第２のコンポーネントはビデオプロセッサを含む、請求項１に記載のシステム。
【請求項３】
前記第１のコンポーネントはディスクドライブを含み、
前記第２のコンポーネントはビデオディスプレイを含む、請求項１に記載のシステム。
【請求項４】
前記セキュリティマークは、認可された認証を含む電子透かしを含み、
前記第２のコンポーネントは、前記認可された認証と前記第１のコンポーネントにより供給された前記認証情報との比較に基づいて前記レンダリングを制御するように構成された、請求項１に記載のシステム。
【請求項５】
前記第２のコンポーネントは更に、一意的なセッション鍵を用いたセキュアな認可されたチャネルを、前記第１のコンポーネントと確立するように構成され、
前記第１のコンポーネントは、前記セキュアな認可されたチャネルを介して、前記認証情報を前記第２のコンポーネントに伝達するように構成された、請求項１に記載のシステム。
【請求項６】
前記認証情報は、前記第１の形態の前記コンテンツマテリアルと関連するハッシュ値を含む、請求項１に記載のシステム。
【請求項７】
前記認証情報は、前記コンテンツマテリアルのソースと関連するシリアル番号を含む、請求項１に記載のシステム。
【請求項８】
前記認証情報は、前記コンテンツマテリアルのソースと関連する媒体のタイプを含む、請求項１に記載のシステム。
【請求項９】
前記認証情報は、前記コンテンツマテリアルのソースと関連する、媒体に埋め込まれた回路からの情報を含む、請求項１に記載のシステム。
【請求項１０】
コンテンツマテリアルを保護する方法であって、
第１のコンポーネントにおいてソースから前記コンテンツマテリアルを受信するステップと、
前記第１のコンポーネントにおいて、前記コンテンツマテリアルのソースに関連する認証情報を決定するステップと、
第２の形態で前記コンテンツマテリアルを第２のコンポーネントに伝達するステップと、
セキュアなリンクを介して、前記認証情報を前記第２のコンポーネントに伝達するステップと、
前記第２のコンポーネントにおいて、前記コンテンツマテリアルからセキュリティマークを決定するステップと、
前記認証情報と前記セキュリティマークとの間の対応に基づいて、前記第２のコンポーネントからの前記コンテンツマテリアルのレンダリングを制御するステップと、
を有する方法。
【請求項１１】
前記コンテンツマテリアルを受信するステップは、ディスクからのデータの読み取りを含む、請求項１０に記載の方法。
【請求項１２】
前記コンテンツマテリアルのレンダリングは、前記コンテンツマテリアルに対応する画像の表示を含む、請求項１１に記載の方法。
【請求項１３】
前記セキュリティマークは電子透かしを含む、請求項１０に記載の方法。
【請求項１４】
前記認証情報は、前記ソースを有する媒体タイプを含む、請求項１０に記載の方法。
【請求項１５】
前記認証情報は、前記ソースに関連するシリアル番号を含む、請求項１０に記載の方法。
【請求項１６】
前記認証情報は、前記ソースにおける前記コンテンツマテリアルのセグメントのハッシュを含む、請求項１０に記載の方法。
【請求項１７】
前記第１のコンポーネントと前記第２のコンポーネントとの間に、一意的なセッション鍵を用いてセキュアな認可されたチャネルを確立し、前記セキュアなリンクを生成するステップを更に含む、請求項１０に記載の方法。
【請求項１８】
ソースからコンテンツマテリアルを受信し、変換された形態で前記コンテンツマテリアルを他のコンポーネントに伝達するように構成された第１のモジュールと、
前記コンテンツマテリアルの前記ソースに関連する認証情報を決定するように構成された第２のモジュールと、
前記他のコンポーネントへの伝達のために前記認証情報を暗号化するように構成された暗号化モジュールと、
を有するコンポーネント。
【請求項１９】
前記ソースはディスクであり、
前記第１のモジュールは更に、前記ディスクからデータを読み取るように構成された、請求項１８に記載のコンポーネント。
【請求項２０】
前記コンテンツマテリアルはビデオコンテンツを含み、
前記他のコンポーネントはディスプレイ装置を含む、請求項１８に記載のコンポーネント。
【請求項２１】
前記暗号化モジュールは更に、前記認証情報を暗号化するために、前記他のコンポーネントとの一意的なセッション鍵を生成するように構成された、請求項１８に記載のコンポーネント。
【請求項２２】
他のコンポーネントからコンテンツマテリアルを受信し、レンダリング装置におけるレンダリングのために前記コンテンツマテリアルを処理するように構成された第１のモジュールと、
前記コンテンツマテリアルに関連するセキュリティマークを検出するように構成された第２のモジュールと、
前記他のコンポーネントから暗号化された情報を受信し、前記コンテンツマテリアルのソースに関連する認証情報を供給するために前記暗号化された情報を復号化するように構成された復号化モジュールと、
を有するコンポーネントであって、
前記第２のモジュールは更に、前記セキュリティマークと前記認証情報との間の対応に基づき、前記コンテンツマテリアルのレンダリングを制御するように構成されたコンポーネント。
【請求項２３】
前記レンダリング装置を更に含む、請求項２２に記載のコンポーネント。
【請求項２４】
前記レンダリング装置はディスプレイである、請求項２２に記載のコンポーネント。
【請求項２５】
前記ソースはディスクを含む、請求項２２に記載のコンポーネント。
【請求項２６】
前記セキュリティマークは電子透かしを含む、請求項２２に記載のコンポーネント。
【請求項２７】
前記復号化モジュールは更に、前記暗号化された情報を復号化するために、前記他のコンポーネントとの一意的なセッション鍵を生成するように構成される、請求項２２に記載のコンポーネント。
【発明の詳細な説明】
【技術分野】
【０００１】
本発明は、消費者向け電子機器の分野に関し、特に著作権保護を実施するセキュリティシステムに関する。
【背景技術】
【０００２】
コピー保護されたマテリアルの認可されていない配布を防止又は最少化するために、一般にマテリアルの認可されたコピーの供給者が、該マテリアルに電子透かし、又は該マテリアルがコピー保護されていることを識別する他のマーキングを入れる。再生及び記録装置の販売者は一般に、斯かるコピー保護されたマーキングが検出された場合にコピー及び再生保護を実施するように構成された「準拠」装置を供給することで同意している。
【０００３】
コピー及び再生保護の信頼性高い効果的な実施を容易化するためにコンテンツマテリアルにマーキングする、種々の方式が提案されてきた。例えばJohann P. M. G. Linnartzによる「SYSTEM FOR TRANSFERRING CONTENT INFORMATION AND SUPPLEMENTAL INFORMATION RELATING THERETO」と題された米国特許US6,314,518（2001年11月6日）は、保護されたマテリアルがレンダリングされることができる回数を制御する電子透かし「チケット」の利用を介した、著作物の保護のための手法を提示している（参照により本明細書に組み込まれたものとする）。同時係属中のAntonius A. M. Staring、Michael A. Epstein及びMartin Rosnerによる「PROTECTING CONTENT FROM ILLICIT REPRODUCTION BY PROOF OF EXISTENCE OF A COMPLETE DATA SET VIA SELF-REFERENCING SECTIONS」と題された米国特許出願シリアル番号09/536,934（2000年3月28日出願、整理番号US000040）は、マテリアルの内容に基づく自己参照型マークを挿入することにより、偽のマークを利用した選択コンテンツマテリアルの不正な配布に対処している（参照により本明細書に組み込まれたものとする）。マテリアルから読み取られたマークが、準拠する再生又は記録装置に供給されたマテリアルの内容に対応しない場合、該装置は該マテリアルのレンダリングを停止する。「METHOD AND SYSTEMS FOR PROTECTING DATA USING DIGITAL SIGNATURE AND WATERMARK」と題された国際特許出願PCT/US00/15671（公開番号WO00/75925、2000年12月14日）は、ディスクのセグメントのコンテンツのハッシュに基づき、ディスクの各セグメントに電子透かしを入れる方法及びシステムを教示している（参照により本明細書に組み込まれたものとする）。コンテンツが例えばインターネットを介した伝送のための圧縮によって変更されている場合、電子透かしは変更されたコンテンツのハッシュともはや対応しなくなる。「METHOD AND SYSTEM FOR DICITAL WATERMARKING」と題された米国特許US5,905,800（1999年5月18日）は、認可されたコピーを含むディスクに関連付けられたシリアル番号を含む電子透かしを教示している（参照により本明細書に組み込まれたものとする）。マテリアルを含む媒体のシリアル番号が電子透かし中のシリアル番号に合致しない場合、準拠装置は該マテリアルの再生又はコピーを中止する。「COPY PROTECTION USING MULTIPLE SECURITY LEVELS ON A PROGRAMMABLE CD-ROM」と題された米国特許出願公開2002/0144114（2002年10月3日公開）は、複数のセキュリティレベルを利用するコピー保護方式を教示し、記録可能な媒体におけるコピー保護のために一般に利用される手法の包括的な概要を提示している（参照により本明細書に組み込まれたものとする）。
【発明の開示】
【発明が解決しようとする課題】
【０００４】
コンテンツマテリアルは、記録された形態からレンダリング可能な形態へと至るまで、幾つかの変換を受ける。例えば、映画はトラック及びセクタにより構成されたディジタルデータとしてＤＶＤに記録され、ディスク読み取り器が該情報を差分ディジタルビデオフレーム（例えばＭＰＥＧ符号化におけるＩ、Ｐ及びＢ形式のフレーム）に変換し、ビデオプロセッサが該情報を全体のビデオフレームのシーケンスに変換し、ディスプレイドライバが該フレームをＣＲＴ又はＬＣＤを駆動するためのアナログ電圧に変換し得る。最大限の保護を提供するために、コンテンツマテリアルに配置されたマークが好ましくは、処理の後の方の段階において検出可能であるように該マテリアルに配置される。即ち例えば、該マークは好ましくは、ＤＶＤトラック／セクタレベルで検出可能ではないように該マテリアルに配置される。なぜなら、差分ディジタルビデオフレームレベルからコピーを作成することにより保護が回避され得るからである。逆に、マテリアルが配布媒体に保存されるときに、上述したシリアル番号や自己参照データのような、マークを確認するために利用される情報が好ましくは該マテリアルに基づくものであり、それにより該媒体上のコピーの信頼性が確認されることができる。即ち例えば、ビデオ画像の内容に基づくビデオ画像上のマークは、該画像を搬送するために利用される媒体に関するわずかの情報しか提供しないか又は情報を提供しない。一方で、媒体のシリアル番号に基づくマーク、又は画像を導出するためのデータセットの識別は、現在の画像を提供するために適切な媒体又はデータセットが利用されていることを確認するために利用されることができる。
【０００５】
一体型ディスプレイを持つ携帯型ＤＶＤプレイヤのような、従来の内蔵型レンダリング装置においては、情報を保存された形式からレンダリング可能な形式へと変換するために利用される全ての又は殆どのコンポーネントが、該装置に含まれている。斯かる装置においては、後の方における情報の変換において出現するマークが、情報の供給元において利用可能な認証情報に対応することを確認することは、簡単であり比較的セキュアなタスクである。一方、モジュール式のシステムにおいては、情報をレンダリングするコンポーネントが、ソース媒体から情報を読み取る装置とは離れている場合がある。同様に、コンピュータシステムにおいては、画像を表示画面に供給するビデオ処理カードは、ソース媒体にアクセスするディスクドライブとは略独立している。
【０００６】
本発明の目的は、認証情報及び保護マークが別個のコンポーネントにおいて導出される場合に、コンテンツマテリアル上の保護マークの認証を容易化する方法及びシステムを提供することにある。本発明の別の目的は、異なるコンポーネント間で認証情報を通信するセキュアな手段を提供することにある。
【課題を解決するための手段】
【０００７】
これら及びその他の目的は、異なる形態で保護されたコンテンツマテリアルを処理する２つのコンポーネント間にセキュアなリンクを確立することによりコピー保護を実施するシステム及び方法によって達成される。該セキュアなリンクは、ソースからマテリアルを受信する第１のコンポーネントにおいて導出されたセキュリティ情報を、変換された形態のマテリアルから対応するセキュリティ情報を導出する第２のコンポーネントへと伝達するために利用される。両方のコンポーネントからのセキュリティ情報が一致しない場合には、前記第２のコンポーネントは、該コンテンツマテリアルの以降のレンダリングを防止する。
【発明を実施するための最良の形態】
【０００８】
本発明は、添付図面を参照しながら、例として以下に更に詳細に説明される。図を通して、同一の参照番号は同一の要素、又は略同一の機能を実行する要素を指す。図は説明の目的のためのものであって、本発明の範囲を限定することを意図したものではない。
【０００９】
図１は、本発明によるコピー保護システムのブロック図の例を示す。第１のコンポーネント１００は、記録された媒体、通信装置及びネットワークインタフェース等のようなソース１０１から、コンテンツマテリアルを受信する。容易さのため、本発明は以下、ビデオを含むＤＶＤのような記録された媒体の例を利用して説明され、コンポーネント１００はＤＶＤディスクドライブである。１以上のモジュール１１０は、前記ソースからのコンテンツマテリアルを、次のコンポーネント２００による処理のために適する形態に変換する。本発明の目的のため、変換なる語はデータのいずれの変更をも含み、複数の段階の変更をも含み得る。ビデオ−ＤＶＤの例を用いると、モジュール１１０は例えば、ディスクのトラック及びセクタからデータを読み取り、エラーを訂正し、パケットからデータを抽出等して、ビデオレンダリング装置による処理のために適したディジタルデータのＩ、Ｐ及びＢフレームを形成する光読み取り器を含む。
【００１０】
第２のコンポーネント２００は、変換されたコンテンツマテリアルを受信し、情報をレンダリング装置３００に供給する前に第２の変換を実行する。ここでもビデオの例を用いると、前記第２のコンポーネントは、ディジタルデータのＩ、Ｐ及びＢフレームを受信し、完全なシーケンシャルなフレームを生成し、これらフレームを表示装置３００に供給するモジュール２１０を含むビデオカードであっても良い。
【００１１】
本発明によれば、第２のコンポーネント２００は、前記変換されたコンテンツマテリアルからセキュリティ情報を抽出するように構成される。前記セキュリティ情報は典型的には、該マテリアルに埋め込まれた電子透かしのような、前記変換されたコンテンツマテリアルのマーキングの形をとる。
【００１２】
一般的な電子透かしシステムにおいては、ディスクの識別子、ディスクの一部のハッシュ値及び著作権チケット等のような電子透かし情報が変調され、コンテンツマテリアルのベースバンドにおいてノイズとして出現するエンコードを生成する。該ノイズ状の信号は、例えば該コンテンツマテリアルを形成するデータのストリームにおける選択バイトの最下位ビットを選択的に反転させることにより、事実上検出不可能であるように該コンテンツマテリアルに埋め込まれる。幾つかの電子透かしシステムにおいては、電子透かしが、検知可能性を低くするように、コンテンツの「ビジーな」部分に選択的に埋め込まれる。例えばビデオストリームにおいては、木や布等を含むフレームの部分に電子透かしが埋め込まれ、オーディオストリームにおいては、種々の楽器又は音声を含む曲の部分に電子透かしが埋め込まれても良い。
【００１３】
上述したように、マークされていない形態でレンダリング処理における後の方の段階において誰かがマテリアルをコピーすることを防ぐために、電子透かしは好ましくは、コンテンツマテリアルのレンダリングされる形態に可能な限り近くで検出されるように、該コンテンツマテリアルに付加される。例えばビデオストリームにおいては、電子透かしは好ましくは、圧縮されたＩ、Ｐ、Ｂフレームにおいてではなく、画像の元の完全フレームエンコードにおいて配置される。そうではなく、電子透かしがＩ、Ｐ、Ｂフレームに付加された場合には、該Ｉ、Ｐ、Ｂフレームを完全フレームエンコーディングに伸張し、電子透かしのない対応するＩ、Ｐ、Ｂフレームを再生成することができる。同様に、電子透かしは好ましくは、データ圧縮の後ではなく、オーディオ情報の元のディジタルエンコードに付加される。
【００１４】
図１に示されるように、第２のコンポーネント２００は、典型的には変換モジュール２１０による更なる変換（Ｉ、Ｐ、Ｂから完全フレームエンコードへのような）の後に、コンポーネント１００からの変換されたコンテンツマテリアルのマークを検出する電子透かし検出器２２０を含む。電子透かし検出器２２０は、変換モジュール２１０からレンダリング装置３００への前記コンテンツマテリアルの転送を選択的に制御するように構成される。
【００１５】
ディスクドライブのようなソース１０１からコピー保護されたマテリアルを受信する従来のコンポーネントは一般に、コピー保護を実施するように構成されるものの、該実施において斯かるコンポーネントは、コピー保護マークが検出されることができる形態にコンテンツマテリアルを変換する十分な機能（即ち変換モジュール２１０に対応する機能）を含むことを必要とされる。変換モジュール２１０を含むコンポーネントに電子透かし検出器２２０を配置することにより、冗長な機能が回避される。加えて、ハードドライブにおける特定のファイルが、電子透かしを含み得るコンテンツを含むか否かを確認することが困難となり得る。多くのフォーマットが存在し得、その多くはディスクドライブには知られない（又は該ドライブに対して隠蔽される）。しかしながら、レンダリング用のコンポーネントは、コンテンツの最終的な形態の一定の知識を持つ。
【００１６】
しかしながら、ディスクドライブのような従来のソース受信コンポーネントがコピー保護を実施するように構成される理由は、コピー保護方式が一般に、ソース１０１に特有な情報に基づいて、ソース１０１が認可されたソースであることを保証することである。即ち、ソース１０１の認証は、コンポーネント２００に利用可能でないソース１０１からの情報を必要とする。なぜなら、該情報は、コンポーネント１００のモジュール１１０により変換された後にはコンテンツマテリアルには含まれないからであり、従ってコピー保護はコンポーネント１００において従来実行される。
【００１７】
図１に示されるように、第１のコンポーネント１００は、ソース１０１をコンテンツマテリアルの認可されたソースであると認証するように働く、ソース１０１からの情報を検出するように構成されたセキュリティモジュール１２０を含む。上述したように、データセット識別子及び自己参照型セクタ識別子の利用、並びにディスク上の物理的な識別子、シリアル番号及びディスクに埋め込まれた集積回路等の利用を含む（これらに限定されない）、認可されたソースを認証するために利用される種々の手法が利用されても良い。
【００１８】
本発明によれば、第１のコンポーネント１００は、対応する復号化装置２３０を介して第２のコンポーネント２００へのセキュアなリンクを提供するように構成された暗号化装置１３０を含む。第１のコンポーネント１００は、該セキュアなリンク１３０−２３０を介して、モジュール１２０から第２のコンポーネント２００へと認証情報を送信する。認証情報を第１のコンポーネント１００から第２のコンポーネント２００へと伝達することにより、第２のコンポーネント２００は、検出モジュール２２０を介してコピー保護を実施するために必要な情報を供給される。
【００１９】
以上に詳述したように、従来の電子透かし手法を用いると、コンテンツマテリアルの元のベースバンドにおける電子透かしは、ソース１０１を認証する認証情報のエンコードである。検出モジュール２２０は、コンテンツマテリアル上のマークから認証情報をデコードし、該情報を第１のコンポーネント１００により供給された認証情報と比較する。認証情報のこれらバージョンのそれぞれの間に対応がある場合には、第２のコンポーネントはレンダリング可能なコンテンツマテリアルをレンダリング装置３００に供給し続ける。変換されたコンテンツマテリアルからの認証情報が、該コンテンツマテリアルのソースからの認証情報に対応しない場合には、検出モジュール２２０は、レンダリング可能なコンテンツマテリアルのレンダリング装置３００への送信を終了する。
【００２０】
図２は、マテリアルのレンダリングを制御するコンポーネントにおいて実行される、本発明のコピー保護システムのフロー図の例を示す。
【００２１】
５１０において、ディスクドライブのようなソースコンポーネントからマテリアルが受信され、５２０においてレンダリングのために処理される。該処理の間又は該処理の後に、５３０において該マテリアルは更に、該マテリアル中に電子透かしのようなセキュリティマークが存在するか否かを決定するために処理される。マークが見出されない場合には、５８０において該マテリアルはレンダリングを許可される。マークが見出された場合には、５４０においてソースコンポーネントとのセキュアなリンクが確立され、５５０において該コンテンツマテリアルのソースに対応する認証情報が受信され復号化される。該セキュアな通信リンクは好ましくは、本分野において一般的な技術を利用して、一意的なセッション鍵を用いたセキュアな認証されたチャネルとして確立される。前記認証情報が電子透かしに含まれる情報に対応する場合、５８０において該マテリアルはレンダリングを許可される。そうでなければ、５７０においてレンダリングが終了される。
【００２２】
通常の当業者は、図２に示されたフローは、コンテンツマテリアルの異なるセグメントにおいて異なる認証情報が供給される場合には、繰り返されても良いことを認識するであろう。例えば、ディスクの各セクタが異なるマーキングを含む場合、連続的な認証処理を実行するために、ソースコンポーネントにより供給されるコンテンツマテリアル及び異なるセクタマーキングにおいて、異なる電子透かしが連続的に検出される。代替として、選択されたセクタが認証されても良く、該選択は規則的であっても良いしランダム的であっても良い。
【００２３】
同一の情報若しくは異なる情報の複数のコピー又はその組み合わせのような、複数の認証情報が供給される場合、コンテンツマテリアルのレンダリングは、例えば所定の割合の比較が好適である限りレンダリングが継続するように、複数の比較に基づくものであっても良い。このようにして、電子透かしにおけるノイズ又は他の変化による認可されたマテリアルの誤った拒絶の見込みが低減させられる。
【００２４】
以上は、単に本発明の原理を説明するものである。従って当業者は、ここで明示的に説明され又は示されていないものであっても、本発明の原理を実現し従って本発明の精神及び範囲内である種々の構成を考え出すことが可能であろうことは理解されるであろう。例えば、本発明は、電子透かしにおけるエンコードされた情報と比較されるべきソースからの認証情報を供給する状況において説明されたが、ソースからの認証情報と電子透かしからの情報との間の「対応」は、情報の直接の比較に基づくものである必要はない。電子透かしに含まれる情報は単に、当該マテリアルのソースが「オリジナル」であり「コピー」でないことを示しても良く、ソースから伝達された情報は単に、該ソースが工場で生産された媒体であるかユーザが記録した媒体であるか（即ち該ソースが「ＣＤ−ＲＯＭ」、「ＣＤ−Ｒ」、「ＣＤ−Ｒ／Ｗ」、「ＤＶＤ」、「ＤＶＤ−ＲＡＭ」、「ＤＶＤ−Ｒ」等であるか否か）を示しても良い。コピー保護が該ソースは「オリジナル」のものであることを示し、ソースコンポーネントが該マテリアルは「ＤＶＤ−Ｒ」から読み取られたものであることを示す場合、対応は存在しない。なぜなら、ＤＶＤ−Ｒ上のマテリアルは「コピー」であり、「オリジナル」ではないからである。この状況において、第１のコンポーネント１００は単に、ディスクからデータを読み取り、該データを処理する第２のコンポーネント２００に該データを伝達し、媒体のタイプを第２のコンポーネント２００にセキュアに伝達するディスク読み取り器であり得る。加えて、本発明は独立したコンポーネント１００、２００及び３００の状況で提示された。当業者は、処理コンポーネント２００が、レンダリングコンポーネント３００内に含まれても良いことを認識するであろう。同様に、本発明は第１のコンポーネント１００における付加的な変換の必要を回避する状況で提示されたが、当業者は、第１のコンポーネントが、第１のコンポーネント１００内でコピー保護を実行するために必要な全ての情報を導出することが可能な場合であっても、本発明の原理が利用されることができることを認識するであろう。また、コピー保護コンポーネント２００をレンダリング装置３００のフロントエンドに配置することにより、認可されていないコンテンツマテリアルをレンダリング装置３００に供給するための、準拠しないソースコンポーネント１００の利用が防止されることができる。これらの及び他のシステム構成及び最適化特徴は、本開示を考慮すれば当業者には明らかであり、以下の請求項の範囲内に含まれる。
【００２５】
請求項の解釈に当たり、以下が理解されるべきである。
ａ）「有する（comprising）」なる語は、所与の請求項において列記されたもの以外の要素又は動作の存在を除外するものではない。
ｂ）要素に先行する「１つの（a又はan）」なる語は、複数の斯かる要素の存在を除外するものではない。
ｃ）請求項におけるいずれの参照記号も、請求の範囲を限定するものではない。
ｄ）幾つかの「手段（means）」は、同一のアイテム又はハードウェア若しくはソフトウェアにより実装された構成若しくは機能により表されても良い。
ｅ）開示される要素のそれぞれは、ハードウェア部分（例えば別個の及び一体化された電子回路）、ソフトウェア部分（例えばコンピュータプログラム）、及びそれらのいずれの組み合わせを有しても良い。
ｆ）ハードウェア部分は、アナログ部分及びディジタル部分のうちの一方又は両方を有しても良い。
ｇ）いずれの開示された装置又はその部分も、特に言及されない限り、組み合わせられても良いし、又は更なる部分に分離されても良い。
ｈ）特に示されない限り、動作の特定の順序が必要とされることは意図されない。
【図面の簡単な説明】
【００２６】
【図１】本発明によるコピー保護システムのブロック図の例を示す。
【図２】本発明によるコピー保護システムのフロー図の例を示す。
【図１】
2008516331.tif 000003
【図２】
2008516331.tif 000004
【国際調査報告】
2008516331.tif 000005
2008516331.tif 000006
2008516331.tif 000007